(57)【要約】【課題】  組み立て精度の向上を容易に実現可能にする。【解決手段】  フレーム３０の溝部３２にペン芯１３が挿入される。フレーム３０の係合凸部３７に基板２０の穴が係合される。基板２０に搭載された光学モジュールは位置決め凸部を有し、この位置決め凸部がフレーム３０の位置決め凹部と嵌合することで、光学モジュールがフレーム３０（ペン芯１３）に対して位置決めされる。また、ペン芯１３の筆圧を検出するための筆圧センサ部１４は、フレーム３０の溝部３２に設けられている。フレーム３０の溝部３２はカバー部材で覆われる。外装ケースは、フレーム３０と複数個所で固定される。【選択図】  図２
2006301941.tif 000002
【特許請求の範囲】
【請求項１】
ペンのペン芯を支持するフレームと、
前記フレームに対する位置決め精度が求められる部品を有する基部材と、を含み、
前記基部材が有する前記部品は、前記フレームと嵌合して当該フレームに対して位置決めする位置決め部を備え、当該基部材は、当該部品が当該位置決め部により当該フレームに対して位置決めされて当該フレームと係合することを特徴とするペン型入力装置のフレーム構造。
【請求項２】
前記ペン芯が取り外し可能に装着されるホルダを更に含み、
前記フレームは、前記ホルダを受入れ可能に構成されることを特徴とする請求項１に記載のペン型入力装置のフレーム構造。
【請求項３】
前記フレームは、前記ペン芯の形状に対応して形成した溝部により、当該ペン芯を保持する部分を構成したことを特徴とする請求項１に記載のペン型入力装置のフレーム構造。
【請求項４】
ペンの外装ケースと、
前記外装ケースに取り付けられ、前記ペンのペン芯を支持するフレームと、
前記フレームに対して位置決めされるべき部品を有する基部材と、を含み、
前記基部材が有する前記部品は、前記フレームと嵌合して当該フレームに対して位置決めする位置決め部を備え、
前記部品が前記位置決め部により前記フレームに対して位置決めされて前記基部材が当該フレームと係合した状態で前記外装ケースに取り付けられることを特徴とするペンのフレーム構造。
【請求項５】
前記フレームに取り外し可能に取り付けられるカバー部材を更に含み、
前記フレームに支持された前記ペン芯が当該フレームおよび前記カバー部材により覆われることを特徴とする請求項４に記載のペンのフレーム構造。
【請求項６】
前記フレームに取り外し可能に取り付けられるカバー部材と、
前記カバー部材に設けられた第１のボスと、
前記フレームに設けられた第２のボスと、を更に含み、
前記第１のボスと係合する第１の係合部および前記第２のボスと係合する第２の係合部が前記外装ケースに設けられたことを特徴とする請求項４に記載のペンのフレーム構造。
【請求項７】
前記外装ケースに設けられた前記第１の係合部および前記第２の係合部は、当該外装ケースの長手方向に互いに離間していることを特徴とする請求項６に記載のペンのフレーム構造。
【請求項８】
前記フレームに設けられたボスを更に含み、当該ボスと係合する係合部が前記外装ケースに設けられたことを特徴とする請求項４に記載のペンのフレーム構造。
【請求項９】
データを情報処理手段に入力する電子ペンの外装ケースに取り付けられ、前記電子ペンのペン芯を着脱可能に保持するフレーム部と、
前記ペン芯に対して位置決めされるべき光学モジュールが実装される基板と、を含み、
前記基板は、前記フレーム部と係合した状態で、前記光学モジュールが前記ペン芯に対して位置決めされて前記外装ケースに取り付けられることを特徴とする電子ペンのフレーム構造。
【請求項１０】
前記光学モジュールに設けられ、前記フレーム部と嵌合することにより当該フレーム部に保持された前記ペン芯に対して位置決めする位置決め手段をさらに含むことを特徴とする請求項９に記載の電子ペンのフレーム構造。
【請求項１１】
データを情報処理手段に入力するための電子ペンであって、
前記電子ペンの外装ケースと、
前記外装ケースに取り付けられ、前記電子ペンのペン芯を支持するフレームと、
前記フレームに対する位置決め精度が求められる部品が実装される基部材と、を含み、
前記基部材に実装される部品は、前記フレームと嵌合して当該フレームに対して位置決めする位置決め部を備え、
前記部品が前記位置決め部により前記フレームに対して位置決めされて前記基部材が当該フレームと係合した状態で前記外装ケースに取り付けられることを特徴とする電子ペン。
【請求項１２】
前記フレームに対して取付け可能に構成されたカバー部材を更に含み、
前記フレームに保持された前記ペン芯が当該フレームおよび前記カバー部材により覆われることを特徴とする請求項１１に記載の電子ペン。
【請求項１３】
前記ペン芯が取り外し可能に装着されるホルダを更に含み、
前記フレームは、前記ホルダを受入れ可能に構成されることを特徴とする請求項１１に記載の電子ペン。
【請求項１４】
前記フレームに設けられたボスを更に含み、当該ボスと係合する係合部が前記外装ケースの内面に設けられたことを特徴とする請求項１１に記載の電子ペン。
【請求項１５】
前記フレームに設けられ、ユーザにより前記ペン芯に印加される圧力を検知する筆圧センサ部を更に含むことを特徴とする請求項１１に記載の電子ペン。
【請求項１６】
前記部品は、発光素子と撮像素子とを備えた光学モジュールであることを特徴とする請求項１１に記載の電子ペン。
【発明の詳細な説明】
【技術分野】
【０００１】
本発明は、例えば手書きした内容を検知してコンピュータ装置に送信する手書き入力のペン型入力装置のフレーム構造等に関するものである。
【背景技術】
【０００２】
近年、例えばコンピュータ装置に対する情報入力装置として、ペン型入力装置が注目されている。このペン型入力装置では、本来のペンとしての印字機能に加え、印字した内容や筆圧等を読み取る各種センサと、ペンで印字された内容をデジタル式に記録する電子デバイスと、各種センサや電子デバイス等を制御する回路ボードとを備えたものが知られている（例えば、特許文献１参照）。ペン型入力装置が備えた各種センサとして、用紙に予め印刷されたアドレス情報を認識する光学センサやペン芯を押すことにより筆圧を認識する筆圧センサ等がある。
従来のペン型入力装置では、光学センサを外装ケースで固定している。そして、光学センサが固定された外装ケースは、ペン型入力装置本体に外装ケースの形状で包み込む形でペン型入力装置本体に取り付けられている。
また、従来のペン型入力装置では、ペン先端の外装部品と筆圧センサを固定する内蔵部品とを用いてペン芯を固定している。そして、ペン芯から回路ボードへ静電気が印加しないようにペン芯をガイドパイプで覆っている。
【０００３】
【特許文献１】特表２００４−５２７８５３号公報
【発明の開示】
【発明が解決しようとする課題】
【０００４】
しかしながら、従来のペン型入力装置では、上述したように、実記録を行うペン芯と、ペン先の用紙のアドレス情報を認識する光学センサとは別々に内外装部品で固定されている。そのため、ペン型入力装置の読み取り精度は構成部品及び組立精度の影響を受けることになる。また、ペン型入力装置と外装ケースとの固定において、ペン型入力装置は、一般的にペン状の細長い形状をしている。このように基本要素を保持するペン型入力装置本体が、従来のように外装ケースで包まれているだけの構造では、ペンの曲げや落下といった外力に対して強度を確保することが難しい。
また、ペン外部に露出している金属のペン芯に静電気が印加し、ペン芯を伝ってペン内部に侵入した電荷が回路ボードに落ちて不具合を引き起こすことが懸念される。そのためペン芯を絶縁体で覆う必要がある。
【０００５】
本発明は、以上のような技術的課題を解決するためになされたものであり、その目的とするところは、組み立て精度の向上を容易に実現可能にすることにある。
また別の目的は、外力に対する強度の確保を容易に実現可能にすることにある。
また別の目的は、静電気対策を容易に実現可能にすることにある。
【課題を解決するための手段】
【０００６】
かかる目的のもと、本発明が適用されるペン型入力装置のフレーム構造は、ペンのペン芯を支持するフレームと、フレームに対する位置決め精度が求められる部品を有する基部材と、を含み、基部材が有する部品は、フレームと嵌合してフレームに対して位置決めする位置決め部を備え、基部材は、部品が位置決め部によりフレームに対して位置決めされてフレームと係合することを特徴とするものである。
ペン芯が取り外し可能に装着されるホルダを更に含み、フレームは、ホルダを受入れ可能に構成されることを特徴とすることができる。また、フレームは、ペン芯の形状に対応して形成した溝部により、ペン芯を保持する部分を構成したことを特徴とすることができる。
【０００７】
また、本発明が適用されるペンのフレーム構造は、ペンの外装ケースと、外装ケースに取り付けられ、ペンのペン芯を支持するフレームと、フレームに対して位置決めされるべき部品を有する基部材と、を含み、基部材が有する部品は、フレームと嵌合してフレームに対して位置決めする位置決め部を備え、部品が位置決め部によりフレームに対して位置決めされて基部材がフレームと係合した状態で外装ケースに取り付けられることを特徴とするものである。
フレームに取り外し可能に取り付けられるカバー部材を更に含み、フレームに支持されたペン芯がフレームおよびカバー部材により覆われることを特徴とすることができる。また、フレームに取り外し可能に取り付けられるカバー部材と、カバー部材に設けられた第１のボスと、フレームに設けられた第２のボスと、を更に含み、第１のボスと係合する第１の係合部および第２のボスと係合する第２の係合部が外装ケースに設けられたことを特徴とすることができる。この外装ケースに設けられた第１の係合部および第２の係合部は、外装ケースの長手方向に互いに離間していることを特徴とすることができる。また、フレームに設けられたボスを更に含み、ボスと係合する係合部が外装ケースに設けられたことを特徴とすることができる。
【０００８】
また、本発明が適用される電子ペンのフレーム構造は、データを情報処理手段に入力する電子ペンの外装ケースに取り付けられ、電子ペンのペン芯を着脱可能に保持するフレーム部と、ペン芯に対して位置決めされるべき光学モジュールが実装される基板と、を含み、基板は、フレーム部と係合した状態で、光学モジュールがペン芯に対して位置決めされて外装ケースに取り付けられることを特徴とするものである。
光学モジュールに設けられ、フレーム部と嵌合することによりフレーム部に保持されたペン芯に対して位置決めする位置決め手段をさらに含むことを特徴とすることができる。
【０００９】
他の観点から捉えると、本発明が適用される電子ペンは、電子ペンの外装ケースと、外装ケースに取り付けられ、電子ペンのペン芯を支持するフレームと、フレームに対する位置決め精度が求められる部品が実装される基部材と、を含み、基部材に実装される部品は、フレームと嵌合してフレームに対して位置決めする位置決め部を備え、部品が位置決め部によりフレームに対して位置決めされて基部材がフレームと係合した状態で外装ケースに取り付けられることを特徴とするものである。
フレームに対して取付け可能に構成されたカバー部材を更に含み、フレームに保持されたペン芯がフレームおよびカバー部材により覆われることを特徴とすることができる。また、ペン芯が取り外し可能に装着されるホルダを更に含み、フレームは、ホルダを受入れ可能に構成されることを特徴とすることができる。また、フレームに設けられたボスを更に含み、ボスと係合する係合部が外装ケースの内面に設けられたことを特徴とすることができる。また、フレームに設けられ、ユーザによりペン芯に印加される圧力を検知する筆圧センサ部を更に含むことを特徴とすることができる。部品は、発光素子と撮像素子とを備えた光学モジュールであることを特徴とすることができる。
【発明の効果】
【００１０】
本発明によれば、組み立て精度の向上が容易に実現可能になる。
【発明を実施するための最良の形態】
【００１１】
以下、添付図面を参照して、本発明の実施の形態について詳細に説明する。
図１は、本実施の形態に係るペン本体１０の構造を説明するための部分断面図であり、後述するフレーム３０の図示を説明の便宜のために一部省略している。ペン本体１０の外装ケース１１は、その内部に、ペン先１２から吐出するインクを蓄えるペン芯１３と、ペン先１２およびペン芯１３を介して伝わったユーザの筆圧を検出する筆圧センサ部１４とを備えている。また、例えばアノト（商標）社が提供しているドットパターンを読み込む光学モジュール（光学センサ、部品）１５を備えている。さらに、ペン本体１０を充電するための電力の供給や、外部のコンピュータとの通信を行うための端子１６を備えている。この端子１６は、図示しないキャップにペン本体１０が挿入された際に、図示しないキャップ側の端子と接続可能に構成されている。
【００１２】
また、ペン本体１０には、充電した後に放電することで、ペン本体１０の電力源となる例えばリチウムイオン電池からなる電池１７と、例えば電源をオンしたときに震えるバイブレータ１８とを備えている。また、ペン本体１０の一端部には、図示しないストラップを取り付けるためのストラップ用穴１９を備えている。さらに、ペン本体１０の内部には、各種集積回路や電子部品を搭載した基板（基部材）２０が設けられている。この基板２０上には、光学モジュール１５が取り付けられるとともに、ペン本体１０の全体を制御するプロセッサ（情報処理手段）２１と、光学モジュール１５により読み取られた情報を格納するメモリ２２と、例えばBluetooth（商標）などにより無線通信を行うための無線通信モジュール２３とを備えている。
【００１３】
図２は、ペン芯１３を保持しているフレーム３０に基板２０が係合した状態を示す斜視図である。図３は、ペン芯１３を保持しているフレーム３０に基板２０およびカバー部材４０が係合した状態を示す斜視図である。図４は、図２の視点とは反対側からフレーム３０を見た場合のフレーム３０単体の斜視図である。
図２〜図４に示すように、フレーム３０は、ペン芯１３を支持可能に構成され、かつ基板２０と係合可能に構成された樹脂製の長手部材（絶縁部材）である。そのようなフレーム３０は、ヘッド部３１、溝部３２（図２参照）、ホルダ部材規制片３３（図２参照）、角ボス３４，３５、ねじ締結部３６、係合凸部３７および位置決め凹部３８（図４又は図７参照）を備えている。
【００１４】
ヘッド部３１は、フレーム３０の一端部に設けられており、ペン本体１０（図１参照）におけるペン先１２側の端部を構成している。そのため、フレーム３０に支持されたペン芯１３のペン先１２を外部に露出させるための図示しない貫通穴が形成されている。
図２に示す溝部３２は、ペン芯１３を受け入れてペン芯１３を軸方向に移動可能に支持（保持）するためのもので、ペン芯１３の形状に対応した横断面形状を有し、フレーム３０の長手方向に延びて形成されている。また、図２に示すように、溝部３２は、ホルダ部材１４ａを受け入れ可能に形成されている。このホルダ部材１４ａは、ペン芯１３のペン先１２とは反対側の端部（奥側の端部）が着脱可能に挿入（圧入）される部材であり、センサ素子１４ｂと共に筆圧センサ部１４を構成している。付言すると、ユーザがペン本体１０（図１参照）を手に持って専用用紙に文字等を書くと、その筆圧がペン芯１３からホルダ部材１４ａに入力される。すなわち、ユーザによりペン芯１３に印加された圧力がホルダ部材１４ａに伝わると、ホルダ部材１４ａがセンサ素子１４ｂを押圧する。センサ素子１４ｂは、その圧力（筆圧）を検知してプロセッサ２１（図１参照）に出力される。
【００１５】
図２に示すホルダ部材規制片３３は、フレーム３０にホルダ部材１４ａが受け入れられているときには、フレーム３０の長手方向に関するホルダ部材１４ａの移動量が所定の範囲内になるようにホルダ部材１４ａを規制する。
図２に示すように、このホルダ部材規制片３３は、溝部３２の上を横断するように延在している。そして、溝部３２内でホルダ部材１４ａにペン芯１３が挿入されているときには、ホルダ部材規制片３３は、ペン芯１３およびホルダ部材１４ａが溝部３２から脱落しないように作用する。
図２〜図４に示す角ボス（第２のボス）３４，３５は、フレーム３０の外方に突出する、横断面が矩形形状の部位である。具体的には、角ボス３４，３５は、フレーム３０の長手方向に対して略直交する方向に延びて形成されている。この角ボス３４，３５は、組み立てる際に外装ケース１１の後述する係合部１１ａ，１１ｂ（図５参照）と係合するものである。
図２〜図４に示すねじ締結部３６は、ヘッド部３１とは反対側の端部に穴部が形成されることにより構成されている。ねじ締結部３６は、組み立てる際に外装ケース１１の後述する取付け部１１ｅ（図５参照）と共に図示しないネジで相互に固定するためのものである。
【００１６】
図２〜図４に示す係合凸部３７は、フレーム３０の、基板２０が係合する側に突出する小突起形状部である。そして、図２又は図３に示すように、フレーム３０の係合凸部３７と基板２０に穿設された図示しない穴とが係合する。この状態で、基板２０がフレーム３０と共に外装ケース１１に組み立てられる（図６参照）。
図４に示す位置決め凹部３８は、基板２０に実装された光学モジュール１５が備えた後述の位置決め凸部１５ａ（図７参照）を受け入れるためのものである。この位置決め凹部３８が光学モジュール１５の位置決め凸部１５ａ（図７参照）と嵌合することにより、光学モジュール１５のフレーム３０ないしはペン芯１３に対する位置決めが行われる。なお、ここにいう嵌合とは、求められる位置決め精度が確保できる程度に係合することをいい、必ずしも光学モジュール１５の位置決め凸部１５ａ（図７参照）がフレーム３０の位置決め凹部３８にぴったりと嵌まり合うことを指すものではない。
【００１７】
ここで、図２および図３に示す基板２０は、上述したように、光学モジュール１５（図７参照）が実装されている。この光学モジュール１５は、図示しない発光素子と用紙の反射光を受ける図示しない撮像素子（ＣＣＤ、ＣＭＯＳセンサ）とを備えている。また、光学モジュール１５は、位置決め部（位置決め手段）としての位置決め凸部１５ａ（図７参照）を備えている。この位置決め凸部１５ａ（図７参照）は、基板２０を貫通し、光学モジュール１５の実装面とは反対側の面から突出している。
【００１８】
図３に示すように、カバー部材４０は、フレーム３０に係合する係合片４１を備えている。この係合片４１がフレーム３０と当接することにより、フレーム３０に着脱自在に取り付けられる。カバー部材４０は、フレーム３０の溝部３２（図２参照）を覆うようにフレーム３０に取り付けられる。すなわち、カバー部材４０がフレーム３０に取り付けられることにより、フレーム３０が支持するペン芯１３の周囲が覆われる。当然ながら、ペン本体１０（図１参照）から露出しているペン芯１３のペン先１２は、カバー部材４０により覆われない。
また、カバー部材４０は、外装ケース１１と係止する係止部（第１のボス）４２を備えている。この係止部４２は、外方に突出する小突起形状部である。付言すると、カバー部材４０がフレーム３０に取り付けられる状態では、カバー部材４０の係止部４２がフレーム３０の角ボス３４，３５と同じ方向に延在する。また、カバー部材４０の係止部４２がフレーム３０の角ボス３４，３５の間に位置する。
【００１９】
図５は、２分割構造の外装ケース１１の内面側から見た外装ケース１１単体の部分的な斜視図である。
図５に示すように、外装ケース１１は、その内面に係合部（第２の係合部）１１ａ，１１ｂを備えている。また、外装ケース１１は、係合部１１ａと係合部１１ｂとの間に、切り欠いて形成された係合部（第１の係合部）１１ｃを備えている。係合部１１ａ，１１ｂと係合部１１ｃとは互いに離間して配置されている。
また、外装ケース１１は、フレーム３０のヘッド部３１（図２又は図３参照）と係止可能な爪形状のスナップフィット部１１ｄを備えている。さらにまた、外装ケース１１は、フレーム３０のねじ締結部３６（図２〜図４参照）と共に図示しないネジで固定される取付け部１１ｅを備えている。なお、図５では、２分割構造の一方の外装ケース１１を図示しているが、上述した係合部１１ａ，１１ｂ，１１ｃとスナップフィット部１１ｄと取付け部１１ｅは、図示しない他方の外装ケースも備えている。
【００２０】
図６は、外装ケース１１をフレーム３０に組み付けた状態を部分的に示す斜視図である。
図６に示すように、フレーム３０に外装ケース１１を組み付けるときに、外装ケース１１の係合部１１ａは、フレーム３０の角ボス３４と係合し、外装ケース１１の係合部１１ｂは、フレーム３０の角ボス３５と係合する。また、外装ケース１１の係合部１１ｃは、カバー部材４０の係止部４２と係合する。そして、外装ケース１１のスナップフィット部１１ｄは、フレーム３０のヘッド部３１と係合する。さらには、外装ケース１１の取付け部１１ｅは、フレーム３０のねじ締結部３６（図２〜図４参照）と共にねじを用いて相互に固定される。
【００２１】
本実施の形態では、上述したようにペン本体１０を構成しているために、次のような作用効果を奏する。
すなわち、ペン芯１３をフレーム３０で支持し、光学モジュール１５を基板２０上に実装し、光学モジュール１５の位置決め凸部１５ａをフレーム３０の位置決め凹部３８に嵌合させることで、光学モジュール１５がフレーム３０ないしはペン芯１３に対して位置決めされる。
この位置決め作用について図７を用いて更に説明する。図７は、ペン本体１０のペン芯１３（図１又は図２参照）と専用用紙との位置関係について説明する説明図である。同図に示すように、ペン本体１０は、アドレス情報（検出用マーカー）が予め印刷された専用用紙において、ペン芯１３のペン先１２が専用用紙に接触したことを筆圧センサ部１４のセンサ素子１４ｂ（図２参照）によりプロセッサ２１（図１参照）が検出すると、プロセッサ２１は、光学モジュール１５からの信号によりペン先１２の所定の範囲（読み取り範囲）のアドレス情報を認識する。すなわち、ペン本体１０では、光学モジュール１５の図示しない発光素子が発する光が専用用紙を照射し、光学モジュール１５の図示しない撮像素子により専用用紙のアドレス情報を取得することで、筆圧センサ部１４（図２参照）からの検出結果を利用してペン本体１０のペン芯１３（図１又は図２参照）で筆記された内容を検知するものである。したがって、このように、ペン芯１３（図１又は図２参照）と光学モジュール１５と筆圧センサ部１４のセンサ素子１４ｂ（図２参照）との相対的な位置は、読み取り精度に影響を与える。
【００２２】
そして、従来では実記録を行うペン芯１３と、ペン芯１３のペン先１２の専用用紙のアドレス情報を認識する光学モジュール１５とは別々に内外装部品で固定されていたため、組立時には、組み立て精度を確保するための特別な治具等の設備が必要になり、組み立てコストの削減を実現することが容易ではなかった。
これに対して、本実施の形態では、図２に示すように、ペン芯１３と、光学モジュール１５（図７参照）が搭載された基板２０とをフレーム３０に取り付けるとともに、光学モジュール１５（図７参照）をフレーム３０に対して位置決めするので、組み立て精度を容易に確保することができるようになる。さらには、筆圧センサ部１４をフレーム３０に取り付けているので、部品点数を削減することができ、この点からも組み立て精度の容易な確保を推進することができ、コストダウンを実現することができる。付言すると、ペン先１２と光学モジュール１５（図７参照）との位置関係で専用用紙のアドレス情報の読取範囲（図７参照）を認識しているので、要素部品を一つの部品に搭載するメリットが大きいと言える。
また、本実施の形態は、図２に示すように、ペン本体１０の内部部品をフレーム３０に取り付けて１つのユニットにし、そのユニットに外装ケース１１を取り付ける構成を採用している。このため、意匠的に外装ケース１１をさまざまに変えた場合にも対応することができる。また、外装ケース１１が取り付けられてないユニット自体を取引の対象とすることができる。
【００２３】
また、本実施の形態のペン本体１０では、フレーム３０を外装ケース１１に固定するときに用いられる複数の固定ポイントがフレーム３０ないしは外装ケース１１に設置されている。この固定ポイントとしては、ペン先１２側から順に、上下２箇所のスナップフィット部１１ｄ、左右２箇所の角ボス３４，３５、および、ネジ締結部３６の合計７箇所が設けられている。付言すると、角ボス３４，３５では横断面が矩形形状のために一般的な丸形状のボスと比較し、ねじり方向の強度を高めることができる。また、固定ポイントの１箇所をネジによる外装ケース１１およびフレーム３０の共締め構造とすることにより、より強固な固定を実現することができる。そして、複数の固定ポイントの設置により、ペン本体１０の外力に対する曲げ剛性を向上させて変形を防止することができるとともに、例えば落下等の衝撃を受けたとき荷重を分散させることで、強度を確保することができる。
また、他の固定ポイントとして、フレーム３０に取り付けられるカバー部材４０に係止部４２（図３参照）が設けられている。したがって、さらなる強度の確保を実現することができる。
【００２４】
また、本実施の形態のペン本体１０では、フレーム３０に保持されるペン芯１３を基板２０となるべく離間させた位置に取り付けている。すなわち、フレーム３０の溝部３２とは反対側の位置に基板２０を配設している。しかも、フレーム３０の溝部３２をカバー部材４０により覆う構成を採用している。そして、これらフレーム３０及びカバー部材４０は絶縁体部材である。
このため、ペン芯１３のペン先１２に静電気が印加し、その電荷がペン内部に侵入したときであっても、電荷が基板２０に落ちて不具合を引き起こすという事態を回避することができる。
【００２５】
以上説明したように、本実施の形態のペン本体１０は、フレーム３０だけでペン芯１３と光学モジュール１５を固定するので、部品および組立精度に影響無くペン芯１３の軸精度と光学精度を含む、読取精度を同時に確保できるという効果がある。また、次に主要部品を搭載したフレーム３０と外装ケース１１を複数点で固定することでペン自体の強度を確保することができるという効果がある。また、ペン芯１３をフレーム部（ホルダ部材１４ａ、フレーム３０、カバー部材４０）で覆うことにより、導電体であるペン芯１３に印加した静電気が基板２０に印加することを回避できるという効果がある。このように、本実施の形態では、光学部品の信頼性や組立性や強度の確保を容易に可能とするものである。
【図面の簡単な説明】
【００２６】
【図１】本実施の形態に係るペン本体の構造を説明するための部分断面図である。
【図２】ペン芯を保持しているフレームに基板が係合した状態を示す斜視図である。
【図３】ペン芯を保持しているフレームに基板およびカバー部材が係合した状態を示す斜視図である。
【図４】図２の視点とは反対側からフレームを見た場合の斜視図である。
【図５】２分割構造の外装ケースの内面側から見た部分的な斜視図である。
【図６】外装ケースをフレームに組み付けた状態を部分的に示す斜視図である。
【図７】ペン本体のペン芯と専用用紙との位置関係について説明する説明図である。
【符号の説明】
【００２７】
１１…外装ケース、１１ａ，１１ｂ，１１ｃ…係合部、１１ｄ…スナップフィット部、１１ｅ…取付け部、１３…ペン芯、１４…筆圧センサ部、１４ａ…ホルダ部材、１４ｂ…センサ素子、１５…光学モジュール、１５ａ…位置決め凸部、２０…基板、３０…フレーム、３１…ヘッド部、３２…溝部、３３…ホルダ部材規制片、３４，３５…角ボス、３６…ねじ締結部、３７…係合凸部、３８…位置決め凹部、４０…カバー部材、４１…係合片、４２…係止部
【図１】
2006301941.tif 000003
【図２】
2006301941.tif 000004
【図３】
2006301941.tif 000005
【図４】
2006301941.tif 000006
【図５】
2006301941.tif 000007
【図６】
2006301941.tif 000008
【図７】
2006301941.tif 000009